(57)【要約】      （修正有）【課題】保管する対象物の上下方向を気にせずファイリングが可能で、クリアファイルの奥まで対象物を容易に挿入でき、クリアファイルから対象物が意図せずはみ出してしまうことがないクリアファイルを提供する。【解決手段】上シート１２と下シート１３を折り返し辺１５で連結し、上シート乙辺１２１および上シート甲辺１２２の該折り返し辺１５との連結箇所から下シート乙辺１３１および下シート甲辺１３２とそれぞれ長さａ１およびａ２だけ接続し、上シート対辺１２３には上シート捲り返し用切除部１２３４、上シート掘り込み部１２３１、および、上シートはみ出し部１２３０２１を有する上シート突き出し部１２３０２を設け、下シート対辺１３３に該上シート対辺１２３と上下反転した形状とし、両シートが共に上下反転しても、同前態勢が再現されるクリアファイルとした。【選択図】図１
2020183090.tif 000002
【特許請求の範囲】
【請求項１】
方形で同型の、上下に重なった場合の柔軟質の上シートと下シートの各４辺を上下共に、折り返し辺とその対辺、甲辺、乙辺と称するにおいて、折り返し辺は上下連結し、甲辺と乙辺は折り返し辺寄りで上下の一部が連結し、対辺においては端から離れた上下の同位置で片側シートの辺の一部を切除して掘り込み部とし、対側シートの辺の両側の一部を切除して残った部分を突き出し部としたその外周囲は、前記掘り込み部に格納される大きさでありながら、掘り込み部の入り口付近で一部がはみ出して、その柔軟質のはみ出し部を片側シートの裏面に押し出すと片側シートからの突き出し部の引き戻しがやや困難なラッチ組み合わせとなり、及び双方の対辺に掘り込み部と突き出し部を前記とは逆に入れ替えたラッチ組み合わせをさらに設け、そうして片側シートの甲辺と対辺の連なる部分を含む周辺を切除し、及び対側シートの乙辺と対辺の連なる部分を含む周辺を切除し、その折り返し辺と対辺の位置を保ちながら両シートを共に上下反転すれば、同前態勢が常に再現されるクリアファイル。
【発明の詳細な説明】
【技術分野】
【０００１】方形で同型の、上下に重なった場合の上シートと下シートの各４辺を上下共に、折り返し辺とその対辺、甲辺、乙辺と称するにおいて、折り返し辺は上下連結し、甲辺と乙辺は折り返し辺寄りで上下の一部が連結し、そうして上下の対辺それぞれの一部を各所切除して、両シートにおけるラッチ機能として挿入物の不如意な脱出を防ぎ、および両シートの乖離開口の簡易な手掛かりともなり、さらにその折り返し辺と対辺の位置を保ちながら両シートを共に上下反転すれば、同前態勢が常に再現されるとした本発明のクリアファイルに関する。
なお、文中甲辺、乙辺は説明便宜上の２辺の判別呼称である。
【背景技術】
【０００２】多くは透明質にして柔軟質の従来市場流通するクリアファイルは、共に４辺を縦の折り返し辺とその対辺及び横の２辺、と称する方形で同型の上下２枚のシートの乖離開口は、下シートの対辺の一部切除している部分を上シートの対辺を透視してその位置を確認し、そうしてその位置の上シート側を手掛り部として捲り返すという煩雑さがあり、また縦とした折り返し辺と横の１辺の全長において上シートと下シートが連結している場合、捲り返した上シートに下シートが追随連動して、両シートの安定した開口乖離と対象物の挿入が困難な場合があり、また、挿入する紙片等ファイル対象物が、その全長の連結により奥深くなっている隅まで届きにくかった【０００３】また、クリアファイルを移動させる際、挿入保管された対象物が上下連結のない横辺や対辺から不如意に脱出することもあった。
【発明の開示】
【発明が解決しようとする課題】
【０００４】従来のクリアファイルにおいては、前記対辺の一部切除部を除き両シートの４辺が上下同位置であり、両シートの乖離開口は、該切除部位置における上シートの下面に指を差し入れて上シートを捲り上げるため、乖離開口前に、シートの上下の態勢の留意と、次に該切除部位置を透視確認せねばならなかった。【０００５】また前記折り返し辺と横辺の一辺の連結部分が長いため、捲り上げた上シートに下シートが追随連動して持ち上がれば両シート間にファイル目的の対象物の挿入がし難くなり、また、その長い連結ゆえの深い隅奥まで挿入が及びにくく、及び連結部分のない横辺や対辺からは挿入保管された対象物が不如意に脱出していた。
【課題を解決するための手段】
【０００６】問題解決のため、本発明のクリアファイルは、方形で同型の、上下に重なった場合の上シートと下シートの各４辺を上下共に、折り返し辺とその対辺、甲辺、乙辺と称するにおいて、折り返し辺は上下連結し、甲辺と乙辺は折り返し辺寄りで上下の一部が連結することにより、折り返し辺と甲辺、乙辺が各浅い隅奥を形成した。【０００７】対辺の端から離れた上下の同位置において、片側シートの一部を切除して掘り込み部とし、対側シートのその位置の両側を一部切除してその未切除の部分を突き出し部として、その突き出し部は、前記掘り込み部内に格納される大きさながらも、掘り込み部の入り口付近ではみ出るはみ出し部を設け、掘り込み部に突き出し部を格納して、柔軟質であるはみ出し部を片側シートの裏面に押し出せば、そのはみ出しが逆行阻止のラッチ機能となって突き出し部の引き戻しがやや困難な組み合わせとした。【０００８】前記の双方の対辺においてさらに同様の掘り込み部と突き出し部を逆に入れ替えてのラッチ組み合わせを設けた。【０００９】及び両シートにおいて、片側シートの甲辺と対辺が連なる部分を含む周辺を切除し、同様に対側シートの乙辺と対辺が連なる部分を含む周辺を切除して互いのその切除部分の対側の未切除部分を両シートの乖離開口の手掛り部とした。【００１０】以上の構成により、その両シートを折り返し辺と対辺の位置を保ちながら共に上下反転させても、常に同前態勢を可能とするクリアファイルを実現させた。
【発明の効果】
【００１１】前記、甲辺と乙辺の上下一部をそれぞれ短く連結したから、折り返し辺とで形成する隅奥は各浅くなり、及び甲辺と乙辺は対辺寄りの部分で大きく乖離可能として、紙片等の挿入が容易となり、一方、前記ラッチ組み合わせにより、その紙片等の不如意な脱出を阻止することとなった。
甲辺と乙辺が折り返し辺寄りで一部が上下連結するにおいて、検証実地において、その連結が辺長の約２０％程度の短さでも有効な数値であり、たとえば、Ａ４紙用のクリアファイルであれば、甲辺と乙辺が辺長約２２ｃｍに対して、約４ｃｍ程度の連結による浅い隅奥でも甲辺や乙辺方向への挿入物の脱出阻止は有効であった。
そうして、甲辺と乙辺と折り返し辺によるその約２０％程度の各浅い隅奥部分と前記対辺によるラッチ組み合わせの挿入物固定効果により、挿入保管物の不如意な脱出の阻止が実現した。【００１２】そのラッチ組み合わせによりやや引き戻しが困難な柔軟質のはみだし部のある突き出し部を、甲辺と対辺が連なる部分周辺に対応する前記乖離開口の手掛り部をつまんでより強い力で掘り込み部内から引き戻せば容易に両シートは開口乖離して挿入物を取り出すことが可能となるのである。【００１３】以上でのラッチ機能部は２か所としているが、実務上ラッチ閉鎖が一か所でも不如意な脱出の阻止は有効である。【００１４】  本件クリアファイルは前記上下反転しても常に同前態勢を再現するクリアファイルとなったので、甲辺と乙辺の判別は不要となり、例えば折り返し辺を右辺、対辺を左辺そして手前辺、の水平に置いたクリアファイルが、上側となっているシートの手前辺の左辺寄りが開口手掛りの捲り返し部分であるとすれば、上下反転しても常に同前態勢が再現するので従来の手掛り部分の煩雑な探索が不要となり、簡易な紙片等挿入、取り出しが実現するのである。【００１５】    本発明の実施の一例の形態を図１、図２に基づいて説明する。【００１６】図１はクリアファイル１の柔軟質の上シート１２と下シート１３が折り返し辺１５で上下連結し、上シート乙辺１２１と下シート乙辺１３１はａ１において上下一部連結しており、上シート甲辺１２２と下シート甲辺１３２はａ２において上下一部連結し、上シート対辺１２３には乙辺１２１に連なる部分を切除した上シート捲り返し用切除部１２３４と上シート掘り込み部１２３１及び上シートはみ出し部１２３０２１のある上シート突き出し部１２３０２を設け、下シート対辺１３３には甲辺１３２に連なる部分を切除した下シート捲り返し用切除部１３３４と下シート掘り込み部１３３１及び下シートはみ出し部１３３０２１のある下シート突き出し部１３３０２を設けており、両シートを乖離開口させている概略図示である。【００１７】図２はクリアファイル１の柔軟質の上シート１２と下シート１３を重ねており、上シート掘り込み部１２３１に下シート突き出し部１３３０２が格納されながらも上シート掘り込み部１２３１入り口付近で下シートはみ出し部１３３０２１がはみ出して柔軟質の下シート突き出し部１３３０２の引き戻しをやや困難なラッチ機能としており、同様、下シート掘り込み部１３３１に上シート突き出し部１２３０２が格納されながらも柔軟質の上シート突き出し部１２３０２の一部の上シートはみ出し部１２３０２１が裏面に押し出されて柔軟質の上シート突き出し部１２３０２の引き戻しをやや困難な前記ラッチ機能としており、重なった両シートを乖離開口するには下シート捲り返し用切除部１３３４に対応している上シート１２の部分をつまんで下シート１３から引き離せばよく、両シートを折り返し辺１５と対辺１２３、１３３の位置を保ちながら共に上下反転させれば、常に同前態勢を可能としたクリアファイル１の概略図示である。
【図面の簡単な説明】
【００１８】
【図１】上シート対辺１２３と下シート対辺１３３は互いに逆並びの各部設定となっている。
【図２】互の掘り込み部に格納された突き出し部の一部がはみ出してラッチ機能となり突き出し部の引き戻しをやや困難としている。
【符号の説明】
【００１９】１        クリアファイル
１２      上シート
１３      下シート
１５      折り返し辺
１２１    上シート乙辺
１２２    上シート甲辺
１２３    上シート対辺
１３１    下シート乙辺
１３２    下シート甲辺
１３３    下シート対辺
１２３１  上シート掘り込み部
１２３４  上シート捲り返し用切除部
１３３１  下シート掘り込み部
１３３４  下シート捲り返し用切除部
１２３０２  上シート突き出し部
１３３０２  下シート突き出し部
１２３０２１上シートはみ出し部
１３３０２１下シートはみ出し部
ａ１      一部連結
ａ２      一部連結
【図１】
2020183090.tif 000003
【図２】
2020183090.tif 000004